(57)【要約】【課題】特定の一台の車検希望車について配備される複数の整備士が行う整備状況を専属オペレーターにおいて目視項目入力専用端末に入力、更新の都度車検表示板にイメージ表示されるようにすることにより、車検希望者が整備の状況をリアルタイムで確認できるようにしたスピード車検システムを提供する。【解決手段】車検を希望する予約車輛の車検証書データを予め入力してある親コンピューターと、この親コンピューターと接続された目視項目入力専用端末と、この目視項目入力専用端末に無線にて接続された大画面車検表示板とからなる車検表示板システムであって、前記車検表示板には予め車輛点検、検査項目が表示してあり、特定の車検希望車について配備される複数の整備士が行う点検項目の良否を別途配備されたオペレーターが目視項目入力専用端末に入力、更新の都度、前記大画面車検表示板に表示された予め車輛点検、検査項目に関して個別点検、検査の良否がイメージ表示されるようにした。【選択図】　　　図１
2004145839.tif 000002
【特許請求の範囲】
【請求項１】
車検を希望する予約車輛の車検証書データを予め入力してある親コンピューターと、この親コンピューターと接続されたノート型の目視項目入力専用端末と、このノート型の目視項目入力専用端末に無線にて接続された大画面車検表示板とからなる車検表示板システムであって、前記車検表示板には予め車輛点検、検査項目が表示してあり、特定の車検希望車について配備される複数の整備士が行う点検項目の良否を別途配備されたオベレーターがノート型の目視項目入力専用端末に入力、更新の都度、前記大画面車検表示板に表示された予め車輛点検、検査項目に関して個別点検、検査の良否がイメージ表示されるようにしたことを特徴とするスピード車検システム。
【請求項２】
車検表示板は、各車検点検項目の良否を合格項目、不合格項目、要注意項目の三段階に色別に点灯表示するようにした請求項１記載のスピード車検システム。
【請求項３】
大画面車検表示板は、車検場の近辺に配置され、この大画面車検表示板と同一画像は室内設置されるコンピューター画面でも見られるようにした請求項１又は２記載のスピード車検システム。
【請求項４】
車検点検項目の良否を合格項目、不合格項目、要注意項目の三段階を赤色、青色、黄色に点灯表示するようにした請求項１、請求項２又は請求項３記載のスピード車検システム。
【発明の詳細な説明】
【０００１】
【発明の属する技術分野】
この発明は、特定の一台の車検希望車について配備される複数の整備士が行う整備状況を専属オペレーターにおいてノート型の目視項目入力専用端末に入力、更新の都度車検表示板にイメージ表示されるようにすることにより、車検希望者が整備の状況をリアルタイムで確認できるようにしたスピード車検システムに関する。
【０００２】
【従来の技術】
整備士が車輛を点検、整備している現場を車輛の使用者が直接監視でき、しかも整備項目が車輛の所有者がコンピューター文字画像でその進捗状況をリアルタイムで把握できるシステムはこれまで開発されていない。
但し、車輛の使用者である顧客が車検整備、車検見積をしている現場に立会い、現車を見ながら、テスターによる判断、新品部品との比較、カットモデル等により見せることにより車検品質レベルの向上、維持ができ、短時間で車検が完了し、正確な見積ができるシステムは開発されている。（例えば、特許文献１）
【０００３】
【特許文献１】
特開２００２−１０９２９３号公報
【０００４】
【発明の解決しようとする課題】
各軽自動車、小型乗用車、大型乗用車、商用車には車検制度が適用せられ、一定期間内に車検をしなければならない。しかるに、車検期間中車検代行社の車輛を貸与されてもその車輛は通常馴染がないために快適に乗車できないのが普通である。従って、自分の所有する車両を快適に乗るためには車検期間はできるだけ短い方がよい。
しかしながら、短期間の車検を希望したとしても杜撰な車検では、その後を快適に乗車できないことになる。
更に、短期間で、完璧な車検であっても、車検費用が高額であっては車検希望者の意に沿わない結果となる。
【０００５】
そこで、この発明の目的は、車検希望者の望むように、安価に、短時間に、完全な車検をした車両を車検希望者の手に戻すようにしたものである。
【０００６】
【課題を解決するための手段】
上記の目的を達成すべく、この発明は、車検を希望する予約車輛の車検証書データを予め入力してある親コンピューターと、この親コンピューターと接続されたノート型の目視項目入力専用端末と、このノート型の目視項目入力専用端末に無線にて接続された車検表示板とからなる車検表示板システムにおいて、前記車検表示板には予め車輛点検、検査項目が表示してあり、特定の車検希望車について配備される複数の整備士が行う点検項目の良否を別途配備されたオベレーターがノート型の目視項目入力専用端末に入力、更新の都度、前記車検表示板に表示された予め車輛点検、検査項目に関して個別点検、検査の良否がイメージ表示されるようにした。
【０００７】
又、車検表示板は、各車検点検項目の良否を合格項目、不合格項目、要注意項目の三段階に色別に点灯表示するようにした請求項１記載のスピード車検システム。
【０００８】
更にまた、車検表示板は、車検場の上部に配置された大型画面と室内設置されるコンピューター画面でも見られるようにした。
【０００９】
更に、車検点検項目の良否を合格項目、不合格項目、要注意項目の三段階を赤色、青色、黄色に点灯表示するようにしてある。
【００１０】
【発明の実施の形態】
通常の車検システムの流れとしては、図５に示すように、Ａ車検の対象となる車輛の持込み、Ｂ車検対象となる車輛の使用者に対する問診、Ｃ一定の車検項目に従う実際の車検作業の手順によって行われるものである。
前記の問診は一定の様式の問診表１５に基づいて行われる。
【００１１】
以下、車検の具体的な内容である。即ち、
車検整備部分としては、エンジンルームの点検、下廻り点検、外廻り点検、室内点検、足廻り点検等について点検と検査（以下、車検という）について所要の検査項目がある。上記の車輛について車検は、原則として各タイヤ位置に一人の整備士、即ち普通乗用車であれば通常４名が配備されることになる。
前記各整備士の行う点検、検査事項（以下、点検項目１という）は更に詳しくは概ね以下のとおりである。
【００１２】
▲１▼エンジンルームの点検項目として
パワーステアリングの取り付け状態と損傷
パワーステアリングオイルの漏れと量
点火装置の点火時期、状態
バッテリ、配線の接続部の状態
排気ガスの色と温度
エアクリーナーエレメントの汚れ、詰まり、、損傷
冷却装置の状態と、冷却水の漏れ
燃料漏れ
公害発散防止装置等の機能、状態、損傷
【００１３】
▲２▼室内点検の点検項目として
ハンドル操作具合と遊び、がた
ブレーキペダルの遊び、踏み込んだ時の床板との隙間
ブレーキペダルの効き具合
クラッチペダルの遊び、踏み込んだ時の床板との隙間
パーキング、ブレーキ、レバー（ペダル）の引きしろ、（踏みしろ）
パーキング、ブレーキの効き具合
【００１４】
▲３▼足廻り点検項目として
ホイルアラインメント
ショックアブソーバーの損傷、オイルの漏れ
取り付け部、連結部の緩み、がた、損傷
ブレーキのマスタシリンダ、の液漏れ、機能、磨耗、損傷
ブレーキのホイールシリンダーマスタシリンダの液漏れ、機能、磨耗、損傷
ブレーキのディスクキャリパーの液漏れ、機能、磨耗、損傷
【００１５】
▲４▼下廻り点検項目として
エンジンオイルの漏れ
ステアリングキア、ボックスの取り付けの緩み
ステアリングのロッド類の緩み、がた、損傷、ダストブーツの亀裂、損傷
トランスミッション、トランスファーのオイルの漏れと緩み
プロペラ、ドライブシャフトの遅結部の緩み、ダストブーツの亀裂、損傷
デファレンシャルのオイルの漏れと量
ブレーキ、ホース、パイプの漏れ、損傷、取り付け状態
エグゾーストバルブ、マフラーの取り付けの緩み、損傷、腐食
【００１６】
▲５▼外廻り点検項目として
マフラーの機能
フレーム、ボディーの緩み、損傷
以上の各点検項目１について、その左端に車検点検項目の良否を合格項目、不合格項目、要注意項目の三段階評価をそれぞれ青色１１、黄色１２、赤色１３、に所要形状の点灯枠内１４に点灯表示２するようにしてある。
【００１７】
車検希望車の予約された車検証書データを予め入力してある親コンピューター３と、この親コンピューター３と接続されたノート型の目視項目入力専用端末４と、このノート型の目視項目入力専用端末４に接続された車検表示板３とからなる車検表示板システムにおいて、特定の車検希望の車輛６について配備される複数の（通常４名）整備士７が行う前記の各点検項目１の良否を別途配備されたオベレーター８がノート型の目視項目入力専用端末４に入力、更新の都度、前記車検表示板５にイメージ表示されるようにしてあるものである。
【００１８】
車検表示板５は、室内用監視用バソコン画像表示板５ｂと整備現場の近辺に大画像表示板５ａとからなっており、両者はノート型の目視項目入力専用端末４と連動している。したがって、ノート型の目視項目入力専用端末４に表示された各点検項目１について前記の三段階評価をそれぞれ青色１１、黄色１２、赤色１３があり整備士７によって伝えられる評価、報告をペレーター８が確認しこれをノート型の目視項目入力専用端末４の各項目にペンタッチすれば、室内用監視用バソコン画像表示板５ｂと整備現場の近辺に大画像表示板５ａ等の車検表示板５にそれぞれ表示されることになる。
【００１９】
図７に示すように、前記車検表示板５は、車検場の上部に配置された大型画面５ａと室内設置されるコンピューター画面５ｂは整備現場に隣接する待機室内１６から車輛６のオーナー９が自己の車輛の整備の進捗状態をリアルタイムでつぶさに観察することができるようにしてある。なお、図７において、車輛６のオーナー９からコンピューター画面５ｂに至る矢印はオーナー９の視線を表すこととする。
【００２０】
前記車検表示板５の車検点検項目において赤色に点灯した部分は点検、検査の結果において不合格項目であるから、その部分については部品の交換が必要な部分となり、該部品の交換をすれば、前記検査項目に関する限り点検、検査が合格することになる。従って、待機室内１６から車輛のオーナー９は、部品の交換の必要性及び実際に部品の交換をつぶさに立ち会うことになるから、実際の整備の現場の一部始終を観察することになり、従って、このような整備の結果にはより安心感を持てるようになる。なお、車検表示板５には予め車検証書データを予め入力してある車輛のナンバープレート１０も表示される。
【００２１】
【発明の効果】
請求項１のスピード車検システムでは、車検を希望する予約車輛の車検証書データを予め入力してある親コンピューターと、この親コンピューターと接続されたノート型の目視項目入力専用端末と、このノート型の目視項目入力専用端末に無線にて接続された大画面車検表示板とからなる車検表示板システムにおいて、前記車検表示板には予め車輛点検、検査項目が表示してあり、特定の車検希望車について配備される複数の整備士が行う点検項目の良否を別途配備されたオベレーターがノート型の目視項目入力専用端末に入力、更新の都度、前記大画面車検表示板に表示された予め車輛点検、検査項目に関して個別点検、検査の良否がイメージ表示されるようにしてあるので、車輛のオーナーは待機室内から観察可能の大型画面である車検表示板に表示される各点検項目の車検状況及び検査項目に関して個別点検、検査の良否をリアルタイムで知ることができる。しかも、予め車検を希望する予約車輛の車検証書データを予め入力した車輛が連続して待機しているので、車検を円滑に行われ、結果として車検単価を格安で提供できる。
請求項２のスピード車検システムでは、車検表示板は、各車検点検項目の良否を合格項目、不合格項目、要注意項目の三段階に色別に点灯表示するようにしてあるので、車輛のオーナーは待機室内から観察可能の大型画面である車検表示板に表示される色別に点灯表示を車検場で見ることになるから、交換部品、要注意部品の判別ができるので、交換部品、要注意部品についての整備会社と車輛のオーナー間でトラブルが生じることがない。
請求項３のスピード車検システムでは、大画面車検表示板は、車検場の近辺に配置され、この大画面車検表示板と同一画像は室内設置されるコンピューター画面でも見られるようにしてあるので、車輛のオーナーは待機室内でコーヒーでも飲みながら気軽に車検を待つことができる。
請求項４のスピード車検システムでは、車検点検項目の良否を合格項目、不合格項目、要注意項目の三段階を信号標識と同じ、赤色、青色、黄色に点灯表示するようにしてあるので、整備工及び車輛のオーナーも間違えることはない。
【図面の簡単な説明】
【図１】車検表示板システムの構成を示す説明図である。
【図２】ノート型の目視項目入力専用端末の入力画面の一例を示す説明図である。
【図３】ノート型の目視項目入力専用端末における予約車輛選択項目画面の一例を示す説明図である。
【図４】大型画面の車検表示板の一例を示す説明図である。
【図５】システムの流れを説明するフローチャート
【図６】問診表の平面図
【図７】車検位置と車輛のオーナーと大型画面との相対位置を示す説明図である。
【符号の説明】
１．．．点検項目
２．．．カプセル透孔部
３．．．親コンピューター
４．．．目視項目入力専用端末
５．．．車検表示板
６．．．車検希望の車輛
７．．．整備士
８．．．オペレーター
９．．．車輛のオーナー
１０．．車輛のナンバープレート
１１．．青色
１２．．黄色
１３．．赤色
１４．．点灯枠内
１５．．問診表
１６．．待機室内
【図１】
2004145839.tif 000003
【図２】
2004145839.tif 000004
【図３】
2004145839.tif 000005
【図４】
2004145839.tif 000006
【図５】
2004145839.tif 000007
【図６】
2004145839.tif 000008
【図７】
2004145839.tif 000009